(57)【要約】【課題】２種類の異なる光ディスクに適した光学系を１つの光学基台へコンパクトに収め、光ヘッドを安定に支持する。【解決手段】光学基台は少なくとも２つの軸受けを有し、赤色光を集光する対物レンズの中心から第１の軸受けまでの距離をＬ１とし、他方の第２の軸受けまでの距離をＬ２としたときＬ１＞Ｌ２であり、第１の光源（青色光源）が第１の軸受け側にあり、第２の光源（赤色光源）が第２の軸受けの側にある。基台を安定に支持すると同時に光学系を振り分けて配置できるため、光ヘッド装置を小型化することができる。【選択図】図１
2009093684.tif 000002
【特許請求の範囲】
【請求項１】
波長λ１の光を発する第１の光源と、波長λ１より長波長の波長λ２の光を発する第２の光源と、円盤状の第１の情報記憶媒体に前記第１の光源からの光ビームを集光する第１の対物レンズと、円盤状の第２の情報記憶媒体に前記第２の光源からの光ビームを集光する第２の対物レンズと、前記情報記憶媒体から戻った光を検出する検出手段と、前記第１の光源と前記第２の光源と前記第１の対物レンズと前記第２の対物レンズと前記検出手段を支持する光学基台を備え、前記光学基台は自身を支持し情報記憶媒体の内周から外周へ移動可能とするため少なくとも２つの軸受けを有し、前記第２の対物レンズの中心から前記軸受けの１つ（第１の軸受け）までの距離をＬ１とし、前記第２の対物レンズの中心から前記第１の軸受けとは接線方向に離れた位置にある第２の軸受けまでの距離をＬ２としたとき、Ｌ１＞Ｌ２であり、前記第１の光源は前記第２の対物レンズから見て前記第１の軸受け側に位置し、前記第２の光源が前記第２の対物レンズから見て前記第２の軸受け側に位置することを特徴とする光ヘッド装置。
【請求項２】
波長λ１は４５０ｎｍ以下であることを特徴とする請求項１記載の光ヘッド装置。
【請求項３】
前記光学基台には円弧状の切り欠きがあり、円弧の中心を通り、前記軸受けの軸に平行な直線の延長線が前記第２の対物レンズの中心を通ることを特徴とする請求項２記載の光ヘッド装置。
【請求項４】
円盤状の光記憶媒体を回転するモーターを有し、前記モーターの回転中心を通り、前記軸受けの軸に平行な直線の延長線が前記第２の対物レンズの中心を通ることを特徴とする請求項２記載の光ヘッド装置。
【請求項５】
前記第１の光源と前記第１の対物レンズの間に前記第１の光源から出た光の強度分布を補正するビーム整形手段を有することを特徴とする請求項２記載の光ヘッド装置。
【請求項６】
前記第１の光源と前記第１の対物レンズの間に前記第１の光源から出た光が前記第１の情報記憶媒体に集光する際の球面収差を補正する球面収差補正手段を有することを特徴とする請求項２記載の光ヘッド装置。
【請求項７】
前記第１の光源と前記第１の対物レンズの間に前記第１の光源から出た光の透過率を制御する調光手段を有することを特徴とする請求項２記載の光ヘッド装置。
【請求項８】
前記第１の対物レンズは前記第２の対物レンズより前記第１の光源側に配置されることを特徴とする請求項２記載の光ヘッド装置。
【請求項９】
前記第１の対物レンズと前記第２の対物レンズは共通の対物レンズであることを特徴とする請求項２記載の光ヘッド装置。
【請求項１０】
波長λ２より長波長の波長λ３の光を発する第３の光源を有し、第３の情報記憶媒体に前記第３の光源からの光を、前記第２の対物レンズを通して集光することを特徴とする請求項２記載の光ヘッド装置。
【請求項１１】
波長４５０ｎｍ以下の波長λ１の光を発する第１の光源と、前記光源からの光を受けて強度分布の補正を行うビーム整形手段と、光の透過率を制御する調光手段と、光源からの光を略平行光にするコリメータレンズと、第１の情報記憶媒体に前記第１の光源からの光を集光する第１の対物レンズと、前記情報記憶媒体から戻った光を検出する検出手段と、前記第１の光源と前記ビーム整形手段と前記調光手段と前記コリメータレンズと前記第１の対物レンズと前記検出手段を支持する光学基台を備え、前記光源から出た光は前記ビーム整形手段、前記調光手段、前記コリメータレンズ、前記第１の対物レンズの順に通ることを特徴とする光ヘッド装置。
【請求項１２】
光源から情報記憶媒体へ向かう光と情報記憶媒体から光検出器へ向かう光を分離する分岐手段を備え、前記光源から出た光は前記ビーム整形手段、前記調光手段、前記分岐手段、前記コリメータレンズ、前記第１の対物レンズの順に通ることを特徴とする請求項１１記載の光ヘッド装置。
【請求項１３】
波長λ１の光を発する第１の光源と、波長λ１より長波長の波長λ２の光を発する第２の光源と、第１の情報記憶媒体に前記第１の光源からの光を集光する第１の対物レンズと、第２の情報記憶媒体に前記第２の光源からの光を集光する第２の対物レンズと、前記情報記憶媒体から戻った光を検出する検出手段と、前記第１の光源からの光と前記第２の光源からの光それぞれを別の面で反射してそれぞれの対物レンズに向かわせる三角柱状の立ち上げミラーと、
前記第１の光源と前記第２の光源と前記第１の対物レンズと前記第２の対物レンズと前記立ち上げミラーと前記検出手段を支持する光学基台を備え、前記立ち上げミラーの断面は略直角二等辺三角形をしており、断面が鋭角の稜の一方のみ面取りされていることを特徴とする光ヘッド装置。
【請求項１４】
波長λ１の光を発する第１の光源と、波長λ１より長波長の波長λ２の光を発する第２の光源と、第１の情報記憶媒体に前記第１の光源からの光を集光する第１の対物レンズと、第２の情報記憶媒体に前記第２の光源からの光を集光する第２の対物レンズと、前記情報記憶媒体から戻った光を検出する検出手段と、前記第１の光源からの光と前記第２の光源からの光それぞれを別の面で反射してそれぞれの対物レンズに向かわせる三角柱状の立ち上げミラーと、
前記第１の光源と前記第２の光源と前記第１の対物レンズと前記第２の対物レンズと前記立ち上げミラーと前記検出手段を支持する光学基台を備え、前記立ち上げミラーの断面は略直角二等辺三角形をしており、断面が鋭角の稜は面取りされており、一方の面取り量が他方の面取り量より大きいことを特徴とする光ヘッド装置。
【請求項１５】
波長λ１の光を発する第１の光源と、波長λ１より長波長の波長λ２の光を発する第２の光源と、第１の情報記憶媒体に前記第１の光源からの光を集光する第１の対物レンズと、第２の情報記憶媒体に前記第２の光源からの光を集光する第２の対物レンズと、前記情報記憶媒体から戻った光を検出する検出手段と、
前記第１の光源と前記第２の光源と前記第１の対物レンズと前記第２の対物レンズと前記検出手段を支持する光学基台を備え、前記第２の対物レンズのレンズ径は前記第１の対物レンズのレンズ径より大きいことを特徴とする光ヘッド装置。
【請求項１６】
前記第１の情報記録媒体を記録・再生する際の情報記憶媒体表面から第１の対物レンズ先端までの距離をＷＤ１とし、前記第２の情報記録媒体を記録・再生する際の情報記憶媒体表面から第２の対物レンズ先端までの距離をＷＤ２としたとき、ＷＤ２がＷＤ１より大きいことを特徴とする請求項１５記載の光ヘッド装置。
【請求項１７】
波長λ１の光を発する第１の光源と、波長λ１より長波長の波長λ２の光を発する第２の光源と、第１の情報記憶媒体に前記第１の光源からの光を集光する第１の対物レンズと、第２の情報記憶媒体に前記第２の光源からの光を集光する第２の対物レンズと、前記情報記憶媒体から戻った光を検出する検出手段と、
前記第１の光源と前記第２の光源と前記第１の対物レンズと前記第２の対物レンズと前記検出手段を支持する光学基台を備え、前記第２の対物レンズを通過する光の有効径は前記第１の対物レンズを通過する光の有効径より大きいことを特徴とする光ヘッド装置。
【請求項１８】
請求項１〜１７記載のいずれかの光ヘッド装置と、
情報記憶媒体を回転するモーターと、前記光ヘッド装置から得られる信号を受け、前記信号に基づいて前記モーターやレーザー光源を制御および駆動する電気回路を具備する光情報装置。
【請求項１９】
請求項１８記載のいずれかの光情報装置と、
情報を入力するための入力装置あるいは入力端子と、
前記入力装置から入力された情報や前記光情報装置から再生された情報に基づいて演算を行う演算装置と、
前記入力装置から入力された情報や前記光情報装置から再生された情報や、前記演算装置によって演算された結果を表示あるいは出力するための出力装置あるいは出力端子を備えたコンピュータ。
【請求項２０】
請求項１８記載のいずれかの光情報装置と、
前記光情報装置から得られる情報信号を画像に変換する情報から画像へのデコーダーを有する光ディスクプレーヤー。
【請求項２１】
請求項１８記載のいずれかの光情報装置と、
前記光情報装置から得られる情報信号を画像に変換する情報から画像へのデコーダーを有するカーナビゲーションシステム。
【請求項２２】
請求項１８記載のいずれかの光情報装置と、
画像情報を前記光情報装置によって記録する情報に変換する画像から情報へのエンコーダーを有する光ディスクレコーダー。
【請求項２３】
請求項１８記載のいずれかの光情報装置と、
外部との情報のやりとりを行う入出力端子を備えた光ディスクサーバー。
【発明の詳細な説明】
【技術分野】
【０００１】
本発明は、光ディスクに代表される情報記憶媒体から情報を再生し、または情報記憶媒体に情報を記録する光情報装置および光情報装置において情報を再生または記録する光ヘッド装置に関するものである。
【背景技術】
【０００２】
デジタルバーサタイルディスク（ＤＶＤ）は、デジタル情報をコンパクトディスク（ＣＤ）の約６倍の記録密度で記録することができることから、大容量のデータを記録可能な光ディスクとして知られている。近年、光ディスクに記録される情報量の増大に伴い、さらに容量の大きい光ディスクが求められている。光ディスクを大容量にするためには、光ディスクに照射される光が形成する光スポットを小さくすることにより、情報の記録密度を高くする必要がある。光源のレーザー光を短波長にし、かつ、対物レンズの開口数（ＮＡ）を大きくすることによって、光スポットを小さくすることができる。ＤＶＤでは、波長６６０ｎｍの光源と、開口数（ＮＡ）０．６の対物レンズとが使用されている。例えば、波長４０５ｎｍの青色レーザーと、ＮＡ０．８５の対物レンズとを使用することによって、現在のＤＶＤの記録密度の５倍の記録密度が達成される。
【０００３】
ところで、青色レーザーによる短波長のレーザーを用いて高密度の記録再生を実現する光情報装置において、既存の光ディスクとの互換機能を備えることは装置としての有用性を高め、コストパフォーマンスを向上することが可能となる。この場合、対物レンズの開口数を０．８５と高めつつ、作動距離をＤＶＤやＣＤ用の対物レンズのように長くすることは困難であるため、高密度の記録再生が可能な互換型光情報装置では、ＣＤまたはＤＶＤを記録再生するのに使われる少なくとも一枚の対物レンズとこれより高開口数を有する高密度記録用の対物レンズとを別途に備えることが望ましい。
【０００４】
一方、通常光ディスクドライブでは、ディスク半径方向に平行に設置された２本のシャフトがあり、光ヘッド装置はこのシャフトに移動可能な状態で支持される。シャフトに沿ってディスク半径方向に移動することで、ディスクの内周や外周の情報にアクセスする。光ヘッド装置の光学基台にはこのシャフトを受ける軸受けが配置される。この軸受けは光学基台の両端に位置する。光学基台の端以外に軸受けを設計すると、光学素子や光線と干渉する。これを避けるためには高さ方向にシャフトを逃がす必要があるため、光ディスクドライブが厚くなってしまう。光ヘッド装置の対物レンズはシャフトに平行でモーターの中心を通る直線上にあることが理想的である。それ以外では、光ヘッド装置が内周にある時と外周にある時で、ディスクのトラックの投影像が相対的に回転してしまう。光学ヘッド装置では普通、光学系は対物レンズの片側に配置されるため、対物レンズから各シャフトまでの距離は通常非対称となる。上に述べたような、高密度ディスクと従来の光ディスク両方に記録や再生ができる互換ヘッド装置では、２つの光学系を配置する必要がある。この場合光学系の配置とシャフトの関係を適切にしないと光ヘッド装置や光ディスクドライブの投影面積が大きくなってしまう。
【０００５】
光ヘッド装置の１つの光学基台に２つの対物レンズと２つの光学系を配置した例として特許文献１が公知である。この公知文献ではＣＤ用とＤＶＤ用光学系を１つの光学基台に配置した光ヘッド装置について述べており、対物レンズ・光学系・シャフトを含む図は公開されているが、それらの距離関係、特に対物レンズからシャフト軸受けまでの距離については開示されていない。また特許文献２では、青色レーザー光源を使う高密度ディスク用とＤＶＤ用光学系を１つにする光ピックアップ装置について述べているが、基台やシャフトに関する記述はない。
【０００６】
レーザーから出射される光の方向による強度分布の違いを補正するためのビーム整形素子として、入射面と出射面に略円柱面を備える光学素子が特許文献３に開示されている。また、２層ディスク等に記録するために光の利用効率を上げつつ、単層ディスク再生時の信号ノイズ比（ＳＮ比）を確保するために光量調整素子を用いる光ヘッド装置の例が、特許文献４に開示されている。しかし、これらの文献には、ビーム整形素子と光量調整素子をヘッドにしたときのお互いの位置関係について開示されていない。
【０００７】
また、特許文献２で開示されているように、高密度用対物レンズとＤＶＤ用対物レンズを並べて配置し、これらに平行に光線を入射するために、三角柱状のミラーに対し、対向して光を入射する構成が考えられる。三角柱状のミラーは断面が直角二等辺三角形であり、長さの等しい辺に対応する面の一方で青レーザー光を反射し、他方で赤色レーザー光を反射する。青色レーザーと赤色レーザーでは波長が異なるため、各波長の光を効率よく反射するための膜コート条件は当然異なる。このため、三角柱プリズムの向きを間違えて貼り付けると、各波長の光の反射率が落ち、所望の性能を確保できない。
【０００８】
三角柱状のプリズムの鋭角な稜を面取りする構成は特許文献５に開示されているが、これは向きを判別するためではなく、プリズムも一部の光を透過屈折させるために用いる。
【０００９】
ＮＡ０．８５である高密度ディスク用対物レンズとＮＡ０．６であるＤＶＤ用対物レンズを用いる光ヘッド装置の例が特許文献６に開示されているがＮＡが大きいほうがビーム径も大きいことを示す図が示されている。しかしこのように、ＢＤ側のビーム径をＤＶＤ側より大きくしようとすると、ＢＤ対物レンズの焦点距離が大きくなり、ＢＤのレーザー側や検出側の焦点距離も大きくする必要があるため、光ヘッド装置全体が大きくなってしまう。
【特許文献１】国際公開第９７／４２６３２号パンフレット
【特許文献２】特開２００５−２９３６８６号公報
【特許文献３】特許第３５６６９７９号公報
【特許文献４】特開２００３−１１５１０９号公報
【特許文献５】特開平１０−１０６０１５号公報
【特許文献６】特開２００５−３２７３３８号公報
【発明の開示】
【発明が解決しようとする課題】
【００１０】
しかしながら、従来の光ヘッド装置では、２つの光源と対物レンズと軸受けの位置関係が悪く光ヘッド装置が大きくなるという課題があり、また、ビーム整形手段と調光手段は適切な順序で組み合わせないと所望の性能が得られないという課題があり、また、三角柱状の立ち上げミラーを使用するとき、方向を間違えて貼ると各波長の光の反射率が落ち、所望の性能を確保できないという課題があり、更に、ＮＡの高いＢＤ側ビーム径をＮＡの低いＤＶＤ側より大きくするとＢＤの各種レンズの焦点距離が大きくなり光ヘッド装置が大きくなるという課題を有していた。
【００１１】
本発明は、前記従来の課題を解決するもので、２つの光源と対物レンズと軸受けを適切に配置することでコンパクトで、光源とビーム整形手段と調光手段とコリメータレンズの順に光が通ることでビーム整形と光量調整の性能が確保され、三角柱状の立ち上げミラーの一方の稜の面取り量を他方の稜の面取り量より大きくすることで貼り間違いがなく、所望の光利用効率が得られ、ＮＡの高い側のビーム径をＮＡの低い側のビーム径より小さくすることで光学系全体が小さな光ヘッド装置を提供することを目的とする。
【課題を解決するための手段】
【００１２】
前記従来の課題を解決するために、本発明の光ヘッド装置は、波長λ１の光を発する第１の光源と、波長λ１より長波長の波長λ２の光を発する第２の光源と、円盤状の第１の情報記憶媒体に前記第１の光源からの光ビームを集光する第１の対物レンズと、円盤状の第２の情報記憶媒体に前記第２の光源からの光ビームを集光する第２の対物レンズと、情報記憶媒体から戻った光を検出する検出手段と、第１の光源と第２の光源と第１の対物レンズと第２の対物レンズと検出手段を支持する光学基台を備え、光学基台は自身を支持し情報記憶媒体の内周から外周へ移動可能とするため少なくとも２つの軸受けを有し、第２の対物レンズの中心から軸受けの１つ（第１の軸受け）までの距離をＬ１とし、第２の対物レンズの中心から前記第１の軸受けとは接線方向に離れた位置にある第２の軸受けまでの距離をＬ２としたとき、Ｌ１＞Ｌ２であり、第１の光源は第２の対物レンズから見て第１の軸受け側に位置し、第２の光源が第２の対物レンズから見て第２の軸受け側に位置するという特徴を有する。
【００１３】
本構成によって、２種類の情報記憶媒体に対応した光学系を効率的に光ヘッド装置に実装することができる。
【００１４】
さらに、本発明の光ヘッド装置の第１の光源は４５０ｎｍの波長の光を発する。
【００１５】
さらに、本発明の光ヘッド装置の光学基台には円弧状の切り欠きがあり、円弧の中心を通り軸受けの軸に平行な直線の延長線が第２の対物レンズの中心を通るとしていてもよい。
【００１６】
さらに、本発明の光ヘッド装置の第１の光源と第１の対物レンズの間に第１の光源から出た光の強度分布を補正するビーム整形手段を有しても良い。
【００１７】
さらに、本発明の光ヘッド装置の第１の光源と第１の対物レンズの間に第１の光源から出た光が第１の情報記憶媒体に集光する際の球面収差を補正する球面収差補正手段を有しても良い。
【００１８】
さらに、本発明の光ヘッド装置の第１の光源と第１の対物レンズの間に第１の光源から出た光の透過率を制御する調光手段を有しても良い。
【００１９】
さらに、本発明の光ヘッド装置の第１の対物レンズは第２の対物レンズより第１の光源側に配置されても良い。
【００２０】
さらに、本発明の光ヘッド装置の前記第１の対物レンズと前記第２の対物レンズは共通の対物レンズであっても良い。
【００２１】
さらに、本発明の光ヘッド装置は波長λ２より長波長の波長λ３の光を発する第３の光源を有し、第３の情報記憶媒体に第３の光源からの光を、第２の対物レンズを通して集光しても良い。
【００２２】
また、本発明の光ヘッド装置は、波長４５０ｎｍ以下の波長λ１の光を発する第１の光源と、光源からの光を受けて強度分布の補正を行うビーム整形手段と、光の透過率を制御する調光手段と、光源からの光を略平行光にするコリメータレンズと、第１の情報記憶媒体に第１の光源からの光を集光する第１の対物レンズと、情報記憶媒体から戻った光を検出する検出手段と、第１の光源とビーム整形手段と調光手段とコリメータレンズと第１の対物レンズと検出手段を支持する光学基台を備え、光源から出た光はビーム整形手段、調光手段、コリメータレンズ、第１の対物レンズの順に通るという特徴を有する。
【００２３】
さらに、本発明の光ヘッド装置は、光源から情報記憶媒体へ向かう光と情報記憶媒体から光検出器へ向かう光を分離する分岐手段を備え、光源から出た光はビーム整形手段、調光手段、分岐手段、コリメータレンズ、第１の対物レンズの順に通るという特徴を有する。
【００２４】
また、本発明の光ヘッド装置は、波長λ１の光を発する第１の光源と、波長λ１より長波長の波長λ２の光を発する第２の光源と、第１の情報記憶媒体に第１の光源からの光を集光する第１の対物レンズと、第２の情報記憶媒体に第２の光源からの光を集光する第２の対物レンズと、情報記憶媒体から戻った光を検出する検出手段と、第１の光源からの光と第２の光源からの光それぞれを別の面で反射してそれぞれの対物レンズに向かわせる三角柱状の立ち上げミラーと、第１の光源と第２の光源と第１の対物レンズと第２の対物レンズと前記立ち上げミラーと検出手段を支持する光学基台を備え、立ち上げミラーの断面は略直角二等辺三角形をしており、断面が鋭角の稜の一方のみ面取りされているという特徴を有する。
【００２５】
また、本発明の光ヘッド装置は、波長λ１の光を発する第１の光源と、波長λ１より長波長の波長λ２の光を発する第２の光源と、第１の情報記憶媒体に第１の光源からの光を集光する第１の対物レンズと、第２の情報記憶媒体に第２の光源からの光を集光する第２の対物レンズと、情報記憶媒体から戻った光を検出する検出手段と、第１の光源からの光と第２の光源からの光それぞれを別の面で反射してそれぞれの対物レンズに向かわせる三角柱状の立ち上げミラーと、第１の光源と第２の光源と第１の対物レンズと第２の対物レンズと前記立ち上げミラーと検出手段を支持する光学基台を備え、立ち上げミラーの断面は略直角二等辺三角形をしており、断面が鋭角の稜は面取りされており、一方の面取り量が他方の面取り量より大きいという特徴を有する。
【００２６】
また、本発明の光ヘッド装置は、波長λ１の光を発する第１の光源と、波長λ１より長波長の波長λ２の光を発する第２の光源と、第１の情報記憶媒体に第１の光源からの光を集光する第１の対物レンズと、第２の情報記憶媒体に第２の光源からの光を集光する第２の対物レンズと、情報記憶媒体から戻った光を検出する検出手段と、第１の光源と第２の光源と第１の対物レンズと第２の対物レンズと検出手段を支持する光学基台を備え、第２の対物レンズのレンズ径は第１の対物レンズのレンズ径より大きいという特徴を有する。
【００２７】
さらに、本発明の光ヘッド装置は、第１の情報記録媒体を記録・再生する際の情報記憶媒体表面から第１の対物レンズ先端までの距離をＷＤ１とし、第２の情報記録媒体を記録・再生する際の情報記憶媒体表面から第２の対物レンズ先端までの距離をＷＤ２としたとき、ＷＤ２がＷＤ１より大きいという特徴を有しても良い。
【００２８】
また、本発明の光ヘッド装置は、波長λ１の光を発する第１の光源と、波長λ１より長波長の波長λ２の光を発する第２の光源と、第１の情報記憶媒体に前記第１の光源からの光を集光する第１の対物レンズと、第２の情報記憶媒体に前記第２の光源からの光を集光する第２の対物レンズと、情報記憶媒体から戻った光を検出する検出手段と、第１の光源と第２の光源と第１の対物レンズと第２の対物レンズと検出手段を支持する光学基台を備え、第２の対物レンズを通過する光の有効径は第１の対物レンズを通過する光の有効径より大きいという特徴を有する。
【００２９】
また、本発明の情報処理装置は、上記記載のいずれかの光ヘッド装置と、情報記憶媒体を回転するモーターと、光ヘッド装置から得られる信号を受け、信号に基づいてモーターやレーザー光源を制御および駆動する電気回路を具備するという特徴を有する。
【００３０】
また、本発明のコンピュータは、上記記載のいずれかの光情報装置と、情報を入力するための入力装置あるいは入力端子と、入力装置から入力された情報や光情報装置から再生された情報に基づいて演算を行う演算装置と、入力装置から入力された情報や光情報装置から再生された情報や、演算装置によって演算された結果を表示あるいは出力するための出力装置あるいは出力端子を備えるという特徴を有する。
【００３１】
また、本発明の光ディスクプレーヤーは、上記記載のいずれかの光情報装置と、光情報装置から得られる情報信号を画像に変換する情報から画像へのデコーダーを備えるという特徴を有する。
【００３２】
また、本発明のカーナビゲーションシステムは、上記記載のいずれかの光情報装置と、光情報装置から得られる情報信号を画像に変換する情報から画像へのデコーダーを備えるという特徴を有する。
【００３３】
また、本発明の光ディスクレコーダーは、上記記載のいずれかの光情報装置と、画像情報を光情報装置によって記録する情報に変換する画像から情報へのエンコーダーを備えるという特徴を有する。
【００３４】
また、本発明の光ディスクサーバーは、上記記載のいずれかの光情報装置と、外部との情報のやりとりを行う入出力端子を備えるという特徴を有する。
【発明の効果】
【００３５】
本発明の光ヘッド装置、光情報装置、コンピュータ、ディスクプレーヤー、サーバー、カーナビゲーションシステム、光ディスクレコーダーによれば、高密度ディスクと従来の光ディスクに情報の記録もしくは再生を行う光ヘッド装置を小型化することができ、それを使用した装置全体を小型化することができる。
【発明を実施するための最良の形態】
【００３６】
以下本発明の実施の形態について、図面を参照しながら説明する。
【００３７】
（実施の形態１）
図１は、本発明の実施の形態１における光情報装置の一部と光ヘッド装置の概略図である。
【００３８】
図１（ａ）において、光ヘッド装置１００は、シャーシ（図示しない）に対して固定されたガイドシャフト１１０と１１１により移動可能な状態で支持される。モーター１１２はシャーシに固定されており、情報記憶媒体としての光ディスク（ここでは図示せず）はモーター１１２のターンテーブルにチャックされ、モーター１１２の回転軸を中心に回転する。光ヘッド装置１００の光学基台１２０には軸受け１２１、１２２（第１の軸受け）によりガイドシャフト１１０に、軸受け１２３（第２の軸受け）によりガイドシャフト１１１に支持される。送りネジ１２４はガイドシャフト１１０と平行に設置され、送り用モーター１２５により回転される。ネジ結合部１２６は、光学基台１２０に固定されており、送りネジ１２４の溝とかみ合うことで、送りネジ１２４の回転を光ヘッド装置１００のガイドシャフト平行方向の移動に変換する。
【００３９】
また光学基台１２０には断面が円弧状の切り欠きがあり、光ディスクの内周のトラックにアクセスするために光ヘッド装置１００とモーター１１２が接近した時でもこの切り欠き部によりモーターを避けることで光ヘッド装置１００とモーター１１２が衝突しない。
【００４０】
光ヘッド装置１００の光学基台１２０にはアクチュエータ２００が固定されており、アクチュエータ２００の可動部には高密度光ディスク用の対物レンズ２０１（第１の対物レンズ）と従来の光ディスク用の対物レンズ２０２（第２の対物レンズ）が乗っている。青色半導体レーザー２０３から出射された光は光学系を通り、対物レンズ２０１で集光されて高密度光ディスクの情報面に集光される。ディスクで反射・回折した光は再び対物レンズ２０１を通り、検出手段としての光検出器２０４に入射し、光から電気信号に変換される。一方、赤色半導体レーザーと光検出器を一体化したＤＶＤ用ＬＤＰＤモジュール２０５から出射された光は光学系を通り、対物レンズ２０２で集光され、従来ディスクであるＤＶＤの情報面に集光される。ディスクで反射・回折した光は再び対物レンズ２０２を通り、ＤＶＤ用ＬＤＰＤモジュール２０５の光検出器に入射し、光から電気信号に変換される。また赤外半導体レーザーと光検出器を一体化したＣＤ用ＬＤＰＤモジュール２０６から出射された光は光学系を通り、対物レンズ２０２で集光され、従来ディスクであるＣＤの情報面に集光される。ディスクで反射・回折した光は再び対物レンズ２０２を通り、ＤＶＤ用ＬＤＰＤモジュール２０５の光検出器に入射し、光から電気信号に変換される。
【００４１】
ＤＶＤ用の対物レンズ２０２は、ディスク回転用のモーター１１２の回転中心を通り、ガイドシャフト１１０に平行な直線上を移動するように配置される。この回転中心を通る直線とガイドシャフト１１０の中心までの距離をＬ１、この直線とガイドシャフト１１１までの距離をＬ２とする。距離Ｌ１を対物レンズ２０２から第１の軸受け１２１までの距離と定義し、距離Ｌ２を対物レンズ２０２から第２の軸受け１２３までの距離と定義する。
【００４２】
図１（ｂ）は、光ヘッド装置１００及び光ドライブの一部を横から見た図である。方向としては、図１（ａ）の下側から見ている。
【００４３】
図２（ａ）は、光ヘッド装置１００の光学系部分の構成図を示し、ここで光学系の詳細を説明する。青色半導体レーザー２０３からは第１の波長λ１である、４０５ｎｍ程度の波長の光が出射される。この波長はレーザー個体によってばらつきがあり３９５ｎｍ程度から４５０ｎｍ程度でも良い。青色半導体レーザー２０３から出射された光はビーム整形手段としてのビームシェーパ３０１により、光強度分布の方向による差が補正される。ビームシェーパ３０１を透過した光は調光手段としてのフィルタ切替素子３０２に取り付けられたＮＤフィルターに入射し、透過する光量が調整される。フィルタ切替素子３０２を透過した光は、分岐手段としての偏光ビームスプリッタ３０３で反射される。偏光ビームスプリッタ３０３で反射された光は、球面収差補正手段であるコリメータレンズ駆動素子３０４に取り付けられたコリメータレンズ３０５に入射し、ほぼ平行光にされる。コリメータレンズ駆動素子３０４はコリメータレンズの位置を変化させることでコリメータレンズ通過後の光の収束度合いを変化させ、対物レンズとの組み合わせで発生する球面収差を変え、ディスクの基材厚の厚み誤差で発生する球面収差を補正する。コリメータレンズ３０５を透過した光は立ち上げミラー３０６により直角に曲げられ、１／４波長板（図示せず）を通った後、対物レンズ２０１に入射する。対物レンズで集光された光は情報記憶媒体としての光ディスク上に照射される。ここでの光ディスクとはＢｌｕ−ｒａｙ  Ｄｉｓｃ（ＢＤ）等、青色光で記録・再生することを想定された光ディスクである。光ディスクで反射・回折した光は再び、対物レンズ２０１と１／４波長板を透過する。１／４波長板を往復２回通ることで光の偏光方向は９０度回転する。１／４波長板を透過した光は、コリメータレンズ３０５を通り、偏光ビームスプリッタ３０３を透過する。偏光ビームスプリッタ３０３を透過した光は、検出レンズ３０７で非点収差を与えられ、光検出器２０４に入射し、光が電気信号に変換される。
【００４４】
ここで、ビームシェーパ３０１は入射面と出射面ともに対称軸が平行な略円柱面をしており、入射した光の光軸に垂直な２軸のうち一方の軸方向のみ光線を拡大する。半導体レーザーから出射される光はレーザーの活性層の方向によって光の強度分布に差があるが、ビームシェーパ３０１の作用により、方向による強度分布の差を補正し、均一に近づける。ビームシェーパ３０１はその性質状、発光点との距離が設計値からずれると非点収差が発生する。その割合は大きく、設計によるが、１ミクロンの変化で１０ｍλ程度の非点収差が発生する。このためビームシェーパ３０１と光源はできるだけ近い位置に配置することが望ましい。これは、温度変化により光源とビームシェーパ間を支えている素材が膨張や収縮しても、変化する距離の絶対値を小さくできるためである。
【００４５】
次に調光手段としてのフィルタ切替素子３０２について図２（ｂ）を用いて説明する。フィルタ切替素子３０２には、透過率の異なる２種類のＮＤフィルタ３１１と３１２が直角に取り付けられている。ＮＤフィルタ３１１の透過率は５０％。ＮＤフィルタ３１２の透過率は１００％である。フィルタ切替素子３０２は、電流を流すことにより９０度回転するようになっており、図２（ｂ上）ではＡ面が上を向き光はＮＤフィルタ３１１を透過する。一方図２（ｂ下）では９０度手前に回転した状態を示しており、Ａ面は手前を向いている。光はＮＤフィルタ３１２を透過する。このようにＮＤフィルタを切り替えることでここを透過する光の透過率を変化させる。これは２層ディスクへの記録と単層ディスク再生時の信号ノイズ比（ＳＮ比）の確保を両立させるためである。２層ディスク等の場合は光の利用効率を上げて記録時に十分な光量がディスク上に集光させる必要があるが、この透過率のままでは単層ディスクの再生時にディスク上の光が強くなりすぎ再生中に情報を消去してしまう可能性がある。ところがこれを避けるためにレーザーから出力される光量を下げると、レーザーのノイズが増加してしまい、情報再生に必要な再生信号のＳＮ比が得られない。このため単層再生時は効率を落とし、レーザーの出力は一定のままで対物レンズから出力される光量を低下させる。
【００４６】
図２（ｃ）に球面収差補正手段としてのコリメータレンズ駆動素子３０４の構成を示す。コリメータレンズ３０５はホルダーで保持され、このホルダーはシャフトにより支持され、図示はしないがモーターと送りネジ等の伝達系によりシャフトに沿ってホルダーが移動する。これによりコリメータレンズと半導体レーザーの距離が変わり、コリメータレンズ通過後の光の収束度合いが変化する。
【００４７】
図２（ａ）に戻り、赤色光学系側を説明する。赤色半導体レーザーと光検出器を一体化したＬＤＰＤモジュール２０５からは第２の波長λ２である６６０ｎｍ程度の波長の光が出射される。この波長はレーザー個体や種類によってばらつきがあり６２０ｎｍ程度から６９０ｎｍ程度でも良い。ＬＤＰＤモジュール２０５から出た光はくさび状プリズム３２０の表面で反射され、コリメータレンズ３２１で平行光にされる。コリメータレンズ３２１を透過した光は立ち上げミラー３０６により直角に曲げられ、対物レンズ２０２に入射する。対物レンズで集光された光は情報記憶媒体としての光ディスク上に照射される。ここでの光ディスクとはＤＶＤ等の赤色光で記録・再生することを想定された光ディスクである。ディスクで反射回折した光は再び、対物レンズ２０２・コリメータレンズ３２１を通り、くさび状プリズム３２０で反射されて、ＤＶＤ用ＬＤＰＤモジュール２０５に入射する。ＤＶＤ用ＬＤＰＤモジュール２０５内の光検出器は受光した光量に応じた電気信号を出力する。
【００４８】
次に、赤外光学系側を説明する。赤外半導体レーザーと光検出器を一体化したＣＤ用ＬＤＰＤモジュール２０６からは第３の波長λ３である７９０ｎｍ程度の波長の光が出射される。この波長はレーザー個体や種類によってばらつきがあり７７０ｎｍ程度から８２０ｎｍ程度でも良い。ＬＤＰＤモジュール２０６から出た光はくさび状プリズム３２０を透過し、コリメータレンズ３２１で略平行光にされる。コリメータレンズ３２１を透過した光は立ち上げミラー３０６により直角に曲げられ、対物レンズ２０２に入射する。対物レンズで集光された光は情報記憶媒体としての光ディスク上に照射される。ここでの光ディスクとはコンパクトディスク（ＣＤ）等赤外光で記録や再生することを想定された光ディスクである。光ディスクディスクで反射回折した光は再び、対物レンズ２０２・コリメータレンズ３２１を通り、くさび状プリズム３２０を透過し、ＣＤ用ＬＤＰＤモジュール２０６に入射する。ＣＤ用ＬＤＰＤモジュール２０６内の光検出器は受光した光量に応じた電気信号を出力する。
【００４９】
このときくさび状プリズム３２０には、赤色の波長の光は反射し、赤外の波長の光は透過するような波長選択性の膜がつけられている。また対物レンズ２０２は赤色光はＤＶＤに最適な光となるためにディスクの基材厚が０．６ｍｍのときに収差が小さくなるように設計され、赤外光はＣＤに最適な光となるようにディスクの基材厚が１．２ｍｍのときに収差が小さくなるように設計されている。
【００５０】
次に、立ち上げミラーについて図３を用いて説明する。図３（ａ）は立ち上げミラー３０６と各光の関係を示す斜視図である。立ち上げミラー３０６は断面がおよそ直角二等辺三角形をしている（図３（ｂ）参照）。各光は直角をはさむ辺に相当する面で反射される。図３（ａ）の面Ａでは青色光が反射され、対物レンズ２０１へ光の方向を変える。この面Ａは青色光がおよそ４５度で入射したときに反射率が最大になるような反射膜がつけられている。また面Ｂでは赤色光及び赤外光が反射され、対物レンズ２０２へ光の方向を変える。この面Ｂは赤色光や赤外光がおよそ４５度で入射したときに反射率が最大になるような反射膜がつけられている。このため、立ち上げミラー３０６の向きを間違えて光ヘッド装置に取り付けると、各面での本来の反射率が得られない。それぞれの面の反射面は注意して見ると、その面が薄く緑がって見えたり、赤っぽく見えたりするが、簡単には判別がしずらい。
【００５１】
本実施の形態の立ち上げミラー３０６では、断面の直角三角形の鋭角に当たる稜の面取り度合いを変えている。図３（ｂ）に示したように、面Ａ側の面取り量が大きく、面Ｂ側の面取り量を小さくしている。こうすることでどちらの面が面Ａかが簡単に判別でき、立ち上げミラー３０６を光ヘッド装置に貼り付けるときも向きを間違えることが無くなる。また青色光が入射する側の面取り量を大きくすると、図３（ｃ）に示したように、コリメータレンズ駆動素子３０４によりコリメータレンズ３０５の位置が変ったときでも、立ち上げミラー３０６と干渉しずらくなる。これによりコリメータレンズ駆動素子３０４の可動範囲を大きくとることができる。
【００５２】
尚、ここでは青色側の面取り量を赤側の面取り量より大きくとる例を示したが、逆に赤側の面取り量を青側の面取り量より大きくとっても良い。またどちらか一方のみを面取りし、他方は面取りしない形状としても良い。それらの場合も、面の判別が容易につくため向きを間違えて貼ってしまい、所定の反射率が得られないということは避けられる。
【００５３】
本実施の形態では図１に示したように、赤色光を出射する対物レンズ２０２がディスク中心を通り、ガイドシャフト１１０に平行な直線上に来るように配置され、ガイドシャフト１１０側に青色光源と青用の光学系、ガイドシャフト１１１側に赤色光源と赤用光学系及び赤外用光源と赤外用光学系を配置している。赤用及び赤外用光学系はディスクに記録された情報密度の比較的低いＤＶＤやＣＤ等のディスクに情報を記録・再生するため光学系も比較的簡素化できる。これに対して、青用光学系はディスクに記録された情報密度が比較的高いＢＤ等のディスクに情報を記録・再生するため、ビームシェーパや調光手段、球面収差補正手段等が必要となり、光学系が複雑になる。このため青側光学系のほうが赤側光学系より大きな投影面積を必要とする。したがって、光学基台１２０の対物レンズ２０２から青側光源のあるシャフト軸受けまでの間隔Ｌ１を赤側光源のあるシャフト軸受けまでの距離Ｌ２より長くすることで、基台を安定に支えつつ、無駄なスペースを省き、光ヘッド装置をコンパクトにすることができる。
【００５４】
また本実施の形態では、青色光源の次にビーム整形手段、その次に調光手段、次に分岐手段としての偏光ビームスプリッタ、次にコリメータレンズ、最後に対物レンズの順に光学素子を配置している。ビームシェーパタイプのビーム整形手段は光源との距離が重要であるため光源のすぐ後にビーム整形手段を配置する。また調光手段は復路の光路に入れる必要はなく、往路だけに入れば良いため分岐手段の前に配置する。分岐手段とコリメータレンズは、分岐手段の次にコリメータレンズを配置し、コリメータレンズを往復系に置くことで光学素子の数を減らすとともに、球面収差補正のためにコリメータレンズの位置を動かしても、光検出器と光源の共役関係は変化しないという利点がある。このため、光源→ビーム整形手段→調光手段→分岐手段→コリメータレンズと言う順序に配置されることが望ましい。
【００５５】
尚、分岐手段がホログラム等の場合は、分岐手段がコリメータレンズより対物レンズ側にあっても良い。即ち、光源→ビーム整形手段→調光手段→コリメータレンズと言う順序に配置しても良い。
【００５６】
また、青色光学系は、赤色光学系に比べ光の波長が短く、対物レンズの開口数（ＮＡ）も例えば０．８５と高い物を用いるため、焦点深度が浅くなる。このため安定なフォーカス制御をするためには、検出系の倍率を大きめにする必要がある。従って対物レンズの焦点距離をＤＶＤと同じにしてしまうと、青色光学系の光路長はかなり長くなってしまう。そこで、青色光学系の対物レンズの焦点距離は、赤色光学系の対物レンズの焦点距離より短くする方が、光ヘッド装置を小型化するためには有利である。更に、対物レンズの有効径は、（対物レンズの焦点距離）×（開口数）、で決まるが、対物レンズでの赤色光学系の有効径に比して青色光学系の有効径を小さくすることで、光ヘッド装置を小型化する上で有利になる（図４）。例えば、青色光学系の対物レンズの開口数を０．８５、焦点距離を１．３ｍｍとすると対物レンズでの有効径は、ｒ１＝１．１０５ｍｍ、直径ｄ１＝２．２１ｍｍ。赤色光学系の対物レンズの開口数を０．６４、焦点距離を２．３ｍｍとすると対物レンズの有効径は、ｒ２＝１．４７２ｍｍ、直径ｄ２＝２．９４４ｍｍ。ｄ２＞ｄ１としている。青色光学系のコリメータレンズの焦点距離を１８ｍｍとして１３．８倍の倍率を確保でき、対物レンズから光源及び光検出器までの距離はコリメータレンズの２倍程度となるためも３６ｍｍ程度となり、本実施の形態のように途中で光学系を折り曲げれば、Ｌ１＝２４．５ｍｍ、Ｌ２＝２３ｍｍの従来の標準的なガイドシャフトの間隔内に光ヘッド装置を十分収めることができる。もし対物レンズの焦点距離を赤光学系と同じ２．３ｍｍにして、同じ倍率にするとコリメータレンズの焦点距離は３１．７ｍｍとなり、対物レンズから光源及び光検出器までの距離は６０ｍｍを超えてしまい、光ヘッド装置が大きくなってしまう。また、赤色光学系と同じ有効径にしようとすると、青色光学系の対物レンズの焦点距離は１．７３ｍｍとなり、同じ倍率を得るには、コリメータレンズの焦点距離は２３．９ｍｍ、対物レンズから光源及び光検出器までの距離は４８ｍｍ程度となり、やはりＬ１の２倍近くなり、標準的なヘッドサイズに収めることは難しい。また赤色光学系の対物レンズの焦点距離を小さくすることは、ＤＶＤ等のディスクを記録・再生する際のディスクと対物レンズの距離であるワーキングディスタンスが短くなり、ディスクとの衝突を起こしてディスクにキズをつける可能性が高くなり、現実的ではない。このことから光ヘッド装置を小型化するためには、青色光学系の対物レンズ焦点距離を赤色光学系の対物レンズの焦点距離より短くすることが望ましく、更に、光ヘッド装置を標準的なシャフト間隔に収めるには、青色光学系の有効径が赤色光学系の有効径より小さいことが望ましい。また、これと同じ関係から、青色光学系用対物レンズのレンズ径は赤用光学系の対物レンズのレンズ径より小さい方が望ましい。更に、青色光学系用対物レンズで高密度ディスクを記録・再生する時のディスク表面から対物レンズ先端までの距離をＷＤ１とし、赤色光学系用対物レンズでＤＶＤ用ディスクを記録・再生する時のディスクの表面から対物レンズ先端までの距離をＷＤ２としたとき、ＷＤ２がＷＤ１より大きいことが望ましい。
【００５７】
尚、ここでは球面収差補正手段として、コリメータレンズの位置を変える方法を例に説明したが、液晶を用いて光に球面収差相当の波面を与えて補正しても良いし、ビームエキスパンダのように凸レンズと凹レンズを組み合わせて、その間隔を変えることで光の発散度合いを変化させて球面収差を補正しても良い。これらの場合でも本実施の形態の発明の効果を妨げるものではない。
【００５８】
尚、ここではビーム整形手段としてのビームシェーパとして入射面と出射面が略円柱面の例をあげたが、トーリック面のように、２方向に異なるパワーを持つ面によりビーム整形を行っても良い。その場合でも本実施の形態の発明の効果を妨げるものではない。
【００５９】
尚、ここでは調光手段としてＮＤフィルタを回転によって入れ替える構成を示したが、ＮＤフィルタを平行移動して入れ替える構成としても良いし、液晶と偏光板を使用しても良い。これらの方法でも本実施の形態の発明の効果を妨げるものではない。
【００６０】
尚、本実施の形態では第３の波長λ３を発する光源であるＣＤ用ＬＤＰＤモジュールまで備えた例を示したが、本発明は第１の波長と第２の波長を発する２種類の光源及び光学系を備えていれば良く、その場合も本実施の形態と同様の効果を得ることができる。
【００６１】
また、本実施の形態では第１の対物レンズと第２の対物レンズを別体とし、ディスクのタンゼンシャル方向に並んだ構成の例を示したが、これに限るものではなく、ラジアル方向に対物レンズを並べた構成や、第１の対物レンズと第２の対物レンズを１つの対物レンズで兼ねても良い。その場合も本実施の形態と同様の効果を得ることができる。
【００６２】
（実施の形態２）
実施の形態１に記した光情報装置を具備した、コンピュータの実施の形態を図５に示す。
【００６３】
図５において、パソコン（コンピュータ）１０００は実施の形態１の光情報装置１００１と、情報の入力を行うためのキーボード１００３と、情報の表示を行うためのモニター１００２とを備える。
【００６４】
上述の実施の形態１の光情報装置を外部記憶装置として具備した、コンピュータは、異なる種類の光ディスクに情報を安定に記録あるいは再生でき、広い用途に使用できるという効果を有するものとなる。光ディスクはその大容量性を生かして、コンピュータ内のハードディスクのバックアップをとったり、メディア（光ディスク）が安価で携帯が容易であること、他の光情報装置でも情報が読み出せるという互換性があることを生かして、プログラムやデータを人と交換したり、自分用に持ち歩いたりすることができる。また、ＢＤ、ＤＶＤやＣＤ等の既存のメディアの再生・記録にも対応できる。
【００６５】
（実施の形態３）
実施の形態１に記した光情報装置を具備した、光ディスクレコーダー（映像記録装置）の実施の形態を図６に示す。
【００６６】
図６において、光ディスクレコーダー（映像記録装置）１０１０は実施の形態１の光情報装置を内蔵しており、記録している映像の表示を行うためのモニター１０１１と接続されて使用される。
【００６７】
上述の実施の形態１の光情報装置を具備した、光ディスクレコーダーは、異なる種類の光ディスクに映像を安定に記録あるいは再生でき、広い用途に使用できるという効果を有するものとなる。光ディスクレコーダーはメディア（光ディスク）に映像を記録し、好きな時にそれを再生することができる。光ディスクではテープのように記録後や再生後に巻き戻しの作業が必要なく、ある番組を記録しながらその番組の先頭部分を再生する追っかけ再生や、ある番組を記録しながら以前に記録した番組を再生する同時記録再生が可能となる。メディア（光ディスク）が安価で携帯が容易であること、他の光ディスクレコーダーでも情報が読み出せるという互換性があることを生かして、記録した映像を人と交換したり、自分用に持ち歩いたりすることができる。またＢＤ、ＤＶＤやＣＤ等の既存のメディアの再生・記録にも対応する。
【００６８】
尚、ここでは光情報装置だけを備える場合について述べたが、ハードディスクを内蔵していても良いし、ビデオテープの録画再生機能を内蔵していても良い。その場合映像の一時退避や、バックアップが容易にできる。
【００６９】
（実施の形態４）
実施の形態１に記した光情報装置を具備した、光ディスクプレーヤー（映像再生装置）の実施の形態を図７に示す。
【００７０】
図７において、液晶モニター１０２０を備えた光ディスクプレーヤー（映像再生装置）１０２１は実施の形態１の光情報装置を内蔵しており、光ディスクに記録された映像を液晶モニター１０２０に表示することができる。
【００７１】
上述の実施の形態１の光情報装置を具備した、光ディスクプレーヤーは、異なる種類の光ディスクに映像を安定に再生でき、広い用途に使用できるという効果を有するものとなる。
【００７２】
光ディスクプレーヤーはメディア（光ディスク）に記録された映像を、好きな時に再生することができる。光ディスクではテープのように再生後に巻き戻しの作業が必要なく、ある映像の任意の場所にアクセスして再生することができる。またＢＤ、ＤＶＤやＣＤ等の既存のメディアの再生にも対応する。
【００７３】
（実施の形態５）
実施の形態１に記した光情報装置を具備した、サーバーの実施の形態を図８に示す。
【００７４】
図８において、サーバー１０３０は実施の形態１の光情報装置１０３１と、情報の表示を行うためのモニター１０３３と、情報の入力を行うためのキーボード１０３４とを備え、ネットワーク１０３５と接続されている。
【００７５】
上述の実施の形態１の光情報装置を外部記憶装置として具備した、サーバーは、異なる種類の光ディスクに情報を安定に記録あるいは再生でき、広い用途に使用できるという効果を有するものとなる。光ディスクドライブはその大容量性を生かして、ネットワーク１０３５からの要求に応じ、光ディスクに記録されている情報（画像、音声、映像、ＨＴＭＬ文書、テキスト文書等）を送出する。また、ネットワークから送られてくる情報をその要求された場所に記録する。また、ＢＤ、ＤＶＤディスクやＣＤディスク等の既存のメディアに記録された情報も再生が可能であるので、それらの情報を送出することも可能となる。
【００７６】
（実施の形態６）
実施の形態１に記した光情報装置を具備した、カーナビゲーションシステムの実施の形態を図９に示す。
【００７７】
図９において、カーナビゲーションシステム１０４０は実施の形態１の光情報装置を内蔵しており、地形や行き先情報の表示を行うための液晶モニター１０４１と接続されて使用される。
【００７８】
上述の実施の形態１の光情報装置を具備した、カーナビゲーションシステムは、異なる種類の光ディスクに映像を安定に記録あるいは再生でき、広い用途に使用できるという効果を有するものとなる。カーナビゲーションシステム１０４０はメディア（光ディスク）に記録された地図情報と、地上位置確定システム（ＧＰＳ）や、ジャイロスコープ、速度計、走行距離計等の情報を元に、現在位置を割り出しその位置を、液晶モニター上に表示する。また行き先を入力すると、地図情報や道路情報をもとに行き先までの最適な経路を割り出し、それを液晶モニターに表示する。
【００７９】
地図情報を記録するために大容量の光ディスクを用いることで、一枚のディスクで広い地域をカバーして細かい道路情報を提供することができる。また、その道路近辺に付随する、レストランやコンビニエンスストア、ガソリンスタンドなどの情報も同時に光ディスクに格納して提供することができる。さらに、道路情報は時間がたつと古くなり、現実と合わなくなるが、光ディスクは互換性がありメディアが安価であるため、新しい道路情報を収めたディスクと交換することで最新の情報を得ることができる。またＢＤ、ＤＶＤディスクやＣＤディスク等の既存のメディアの再生・記録にも対応するため、自動車の中で映画を見たり音楽を聴いたりすることも可能である。
【産業上の利用可能性】
【００８０】
本発明にかかる光ヘッド装置、および光情報装置、コンピュータ、ディスクプレーヤー、サーバー、カーナビゲーションシステム、光ディスクレコーダーは、情報記憶媒体に情報を記録・再生する機能を有し、映像や音楽の記録・再生装置等として有用である。またコンピュータのデータやプログラムの保存、カーナビゲーションの地図データの保存等の用途にも応用できる。
【図面の簡単な説明】
【００８１】
【図１】（ａ）本発明の実施の形態１における光情報装置の一部と光ヘッド装置の概略上面図（ｂ）本発明の実施の形態１における光情報装置の一部と光ヘッド装置の概略側面図
【図２】（ａ）本発明の実施の形態１における光ヘッド装置の光学系の構成図（ｂ）本発明の実施の形態１におけるフィルタ切替素子の動作説明図（ｃ）本発明の実施の形態１におけるコリメータレンズ駆動素子の構成図
【図３】（ａ）本発明の実施の形態１における立ち上げミラー部の斜視図（ｂ）本発明の実施の形態１における立ち上げミラーの側面図（ｃ）本発明の実施の形態１における立ち上げミラーとコリメータ駆動素子の位置関係図
【図４】本発明の実施の形態１における光ヘッド装置の対物レンズ部の構成図
【図５】本発明の光情報装置を用いたパソコン（コンピュータ）の外観図
【図６】本発明の光情報装置を用いた光ディスクレコーダー（映像記録装置）の外観図
【図７】本発明の光情報装置を用いた光ディスクプレーヤー（映像再生装置）の外観図
【図８】本発明の光情報装置を用いたサーバーの外観図
【図９】本発明の光情報装置を用いたカーナビゲーションシステムの外観図
【符号の説明】
【００８２】
１００    光ヘッド装置
１１０，１１１    ガイドシャフト
１１２    モーター
１２０    光学基台
１２１，１２２    軸受け（第１の軸受け）
１２３    軸受け（第２の軸受け）
１２４    送りネジ
１２５    送り用モーター
１２６    ネジ結合部
２００    アクチュエータ
２０１    対物レンズ（第１の対物レンズ）
２０２    対物レンズ（第２の対物レンズ）
２０３    青色半導体レーザー（第１の光源）
２０４    光検出器（検出手段）
２０５    ＤＶＤ用ＬＤＰＤモジュール（第２の光源）
２０６    ＣＤ用ＬＤＰＤモジュール（第３の光源）
３０１    ビームシェーパ（ビーム整形手段）
３０２    フィルタ切替素子（調光手段）
３０３    偏光ビームスプリッタ（分岐手段）
３０４    コリメータレンズ駆動素子（球面収差補正手段）
３０５    コリメータレンズ
３０６    立ち上げミラー
３１１，３１２    ＮＤフィルタ
３２０    くさび状プリズム
３２１    コリメータレンズ
１０００    パソコン（コンピュータ）
１００１    光情報装置
１０１０    光ディスクレコーダー（映像記録装置）
１０２１    光ディスクプレーヤー（映像再生装置）
１０３０    サーバー
１０３１    光情報装置
１０３５    ネットワーク
１０４０    カーナビゲーションシステム
【図１】
2009093684.tif 000003
【図２】
2009093684.tif 000004
【図３】
2009093684.tif 000005
【図４】
2009093684.tif 000006
【図５】
2009093684.tif 000007
【図６】
2009093684.tif 000008
【図７】
2009093684.tif 000009
【図８】
2009093684.tif 000010
【図９】
2009093684.tif 000011